(57)【特許請求の範囲】
【請求項１】
ルートを示すルート情報を取得する取得部と、
前記取得部が取得した前記ルート情報が示す前記ルートから販売可能な区間に対応する乗車券を発行する第１発行部と、
前記第１発行部が発行した乗車券の区間を示す発行済情報を印刷する第２発行部と、
を備え、
前記取得部は、前記ルート情報を印刷した第１案内シートから前記ルート情報を取得し、
前記第２発行部は、前記第１案内シートに前記発行済情報を印刷する、
発券機。
【請求項２】
前記取得部は、さらに、前記第１案内シートから乗車券を発行した区間を示す発行済情報を取得し、
前記第１発行部は、前記取得部が取得した前記発行済情報が示す区間を除外して前記販売可能な区間に対応する乗車券を発行する、
前記請求項１に記載の発券機。
【請求項３】
複数個の前記販売可能な区間がある場合、前記複数個の販売可能な区間から、発行する区間の選択を受け付ける選択処理部を備え、
前記第１発行部は、前記選択処理部が受け付けた前記区間に対応する乗車券を発行する、
前記請求項１又は２に記載の発券機。
【請求項４】
前記第１案内シートは、前記ルート情報を示す二次元コードを備え、
前記取得部は、前記二次元コードを読み取って、前記ルート情報を取得する、
前記請求項１に記載の発券機。
【請求項５】
前記第２発行部は、前記発行済情報を印刷した第２案内シートを発行する、
前記請求項１乃至４の何れか１項に記載の発券機。
【請求項６】
前記第２発行部は、少なくとも前記発行済情報を示す二次元コードを発行する、
前記請求項１乃至５の何れか１項に記載の発券機。
【請求項７】
前記第２発行部は、さらに、前記ルート情報を発行する、
前記請求項１乃至６の何れか１項に記載の発券機。
【請求項８】
前記第１発行部は、列車の乗車券を発行する、
前記請求項１乃至７の何れか１項に記載の発券機。
【請求項９】
案内装置と発券機とを有する発券システムであって、
前記案内装置は、
ルートを示すルート情報を印刷した第１案内シートを発行する第３発行部を備え、
前記発券機は、
前記第３発行部が発行した前記第１案内シートから前記ルート情報を取得する取得部と、
前記取得部が取得した前記ルート情報が示す前記ルートから販売可能な区間に対応する乗車券を発行する第１発行部と、
前記第１発行部が発行した乗車券の区間を示す発行済情報を印刷する第２発行部と、
を備え、
前記第２発行部は、前記第１案内シートに前記発行済情報を印刷する、
発券システム。
【発明の詳細な説明】
【技術分野】
【０００１】
本発明の実施形態は、発券機及び発券システムに関する。
【背景技術】
【０００２】
駅などには、出発駅から到着駅までのルートを示す案内シートを発行する案内装置が設置されることがある。案内シートの発行を受けた利用者は、発券機から案内シートが示すルートの乗車券を購入する。従来、発券機は、案内シートが示す乗車区間の乗車券を発行するために、案内シートの発行を受けた利用者が乗車区間を入力しなければならないという課題がある。
【先行技術文献】
【特許文献】
【０００３】
【特許文献１】特開２０１３−１５２６５１号
【発明の概要】
【発明が解決しようとする課題】
【０００４】
上記の課題を解決するため、効率的に乗車券を発行する発券機及び発券システムを提供する。
【課題を解決するための手段】
【０００５】
実施形態によれば、発券機は、取得部と、第１発行部と、第２発行部と、を備える。取得部は、ルートを示すルート情報を取得する。第１発行部は、前記取得部が取得した前記ルート情報が示す前記ルートから販売可能な区間に対応する乗車券を発行する。第２発行部は、前記第１発行部が発行した乗車券の区間を示す発行済情報を印刷する。前記取得部は、前記ルート情報を印刷した第１案内シートから前記ルート情報を取得する。前記第２発行部は、前記第１案内シートに前記発行済情報を印刷する。
【図面の簡単な説明】
【０００６】
【図１】図１は、実施形態に係る発券システムの構成例を示すブロック図である。
【図２】図２は、実施形態に係る案内装置の構成例を示す図である。
【図３】図３は、実施形態に係る発券機の構成例を示す図である。
【図４】図４は、実施形態に係る案内装置が発行する案内シートの構成例を示す図である。
【図５Ａ】図５Ａは、実施形態に係る発券機が発行する案内シートの構成例を示す図である。
【図５Ｂ】図５Ｂは、実施形態に係る発券機が発行する案内シートの構成例を示す図である。
【図６】図６は、実施形態に係る案内装置の動作例を示すフローチャートである。
【図７】図７は、実施形態に係る案内装置の動作例を示すフローチャートである。
【発明を実施するための形態】
【０００７】
以下、図面を参照しながら実施形態について説明する。
【０００８】
実施形態に係る発券システムは、利用客に対して種々の券媒体を発行する。たとえば、発券システムは、駅などで利用客に券媒体を発行するために用いられる。駅務システムは、利用客などの操作に基づいて、列車の乗車券又は特急券などの券媒体を発行する。
【０００９】
また、発券システムは、券媒体としてバス、モノレール、フェリー又は旅客機の乗車券などを発行してもよい。また、発券システムは、券媒体として、所定の領域（たとえば、テーマパークなど）において利用される移動手段の乗車券を発行してもよい。  
発券システムが発行する券媒体の内容は、特定の構成に限定されるものではない。また、発券システムは、券媒体が示す内容を利用者が所持する携帯端末などへ送信してもよい。
【００１０】
ここでは、発券システムは、駅務システムとして駅に設置されるものとする。発券システムは、駅の利用客に対して、列車の乗車券又は特急券などの券媒体を発行するものとする。
【００１１】
図１は、実施形態に係る発券システム１の構成例を示すブロック図である。  
図１が示すように、発券システム１は、案内装置１０及び発券機２０などを備える。
【００１２】
案内装置１０は、利用客に対して所定の出発駅から所定の到着駅までのルートを案内する。案内装置１０は、利用客の操作に基づいて、ルートを示すルート情報を印刷した案内シート４０ａを発行する。  
案内装置１０及び案内シート４０ａについては、後に詳述する。
【００１３】
発券機２０は、利用客に対して乗車券などの券媒体を発行する。発券機２０は、案内シート４０ａを読み取り、読み取った内容に基づいて乗車券などの券媒体を発行する。発券機２０は、案内シート４０ａを用いて券媒体を発行すると、案内シート４０ｂ（第２案内シート）を発行する。  
発券機２０及び案内シート４０ｂについては、後に詳述する。
【００１４】
次に、案内装置１０の構成例について説明する。  
図２は、案内装置１０の構成例を示すブロック図である。  
図２が示すように、案内装置１０は、ＣＰＵ１１、ＲＯＭ１２、ＲＡＭ１３、ＮＶＭ１４、通信部１５、表示部１６、操作部１７、及び、発行部１８などを備える。案内装置１０は、データバスなどを介してＣＰＵ１１と、ＲＯＭ１２、ＲＡＭ１３、ＮＶＭ１４、通信部１５、表示部１６、操作部１７、及び、発行部１８とを通信可能に接続する。
【００１５】
ＣＰＵ１１は、案内装置１０全体の動作を制御する機能を有する。ＣＰＵ１１は、内部キャッシュおよび各種のインターフェースなどを備えても良い。ＣＰＵ１１は、内部メモリ、ＲＯＭ１２あるいはＮＶＭ１４に予め記憶したプログラムを実行することにより種々の処理を実現する。
【００１６】
なお、ＣＰＵ１１がプログラムを実行することにより実現する各種の機能のうちの一部は、ハードウエア回路により実現されるものであっても良い。この場合、ＣＰＵ１１は、ハードウエア回路により実行される機能を制御する。
【００１７】
ＲＯＭ１２は、予め制御用のプログラム及び制御データなどが記憶された不揮発性のメモリである。ＲＯＭ１２に記憶される制御プログラム及び制御データは、予め案内装置１０の仕様に応じて組み込まれる。ＲＯＭ１２は、たとえば、案内装置１０の回路基板を制御するプログラム（例えば、ＢＩＯＳ）などを格納している。
【００１８】
ＲＡＭ１３は、揮発性のメモリである。ＲＡＭ１３は、ＣＰＵ１１の処理中のデータなどを一時的に格納する。ＲＡＭ１３は、ＣＰＵ１１からの命令に基づき種々のアプリケーションプログラムを格納している。また、ＲＡＭ１３は、アプリケーションプログラムの実行に必要なデータ及びアプリケーションプログラムの実行結果などを格納してもよい。
【００１９】
ＮＶＭ１４は、データの書き込み及び書き換えが可能な不揮発性のメモリである。ＮＶＭ１４は、例えばＥＥＰＲＯＭ（Electric Erasable Programmable Read-Only Memory）、ＨＤＤ（Hard Disc Drive）、あるいはＳＳＤ（Solid State Drive）などである。ＮＶＭ１４は、案内装置１０の運用用途に応じて制御プログラム、アプリケーション、及び種々のデータを格納する。また、ＮＶＭ１４は、ＣＰＵ１１が種々の処理を実行することで生成したデータを保存する。
【００２０】
通信部１５は、上位装置としてのホストコンピュータなどとの通信を行うインターフェースである。
【００２１】
表示部１６は、ＣＰＵ１１からの信号に基づいて種々の情報を表示するものである。たとえば、表示部１６は、出発駅及び到着駅などを選択するアイコンなどを表示してもよい。表示部１６は、たとえば、液晶ディスプレイなどである。
【００２２】
操作部１７は、案内装置１０の操作者によって、種々の指示が入力される。操作部１７は、操作者に入力された指示のデータをＣＰＵ１１へ送信する。操作部１７は、たとえば、キーボード、テンキー、及び、タッチパネルなどである。
【００２３】
なお、表示部１６と操作部１７とは、一体的に形成されてもよい。即ち、表示部１６は、指示を入力するためのアイコンを表示し、操作部１７は、アイコンがタッチされることで指示の入力を受け付けてもよい。
【００２４】
発行部１８（第３発行部）は、ＣＰＵ１１の制御に基づいて、出発駅から到着駅までのルートを示すルート情報を印刷した案内シート４０ａを発行する。たとえば、発行部１８は、案内シート４０ａを構成するロール紙を供給する供給部、ロール紙を搬送する搬送部、ロール紙を所定の長さにカットするカット部、カットされたロール紙に印字する印字部、及び、印字されたロール紙（案内シート４０ａ）を外部へ排出する排出部などを備える。印字部は、インク又はトナーななどの印刷素材を塗布することでロール紙に情報を印刷してもよい。また、ロール紙が感熱シートである場合、印字部は、ロール紙を加熱して情報を印刷してもよい。なお、印字部は、消色トナーなど、消色可能な印刷素材を用いてロール紙に印字してもよい。  
なお、案内装置１０は、上述した構成以外の構成要素を適宜追加しても良いし、特定の構成を除外してもよい。
【００２５】
次に、発券機２０の構成例について説明する。  
図３は、発券機２０の構成例を示すブロック図である。  
図３が示すように、発券機２０は、ＣＰＵ２１、ＲＯＭ２２、ＲＡＭ２３、ＮＶＭ２４、通信部２５、表示部２６、操作部２７、磁気券処理部２８、カードリーダライタ２９、金額処理部３０、読取部３１、第１発行部３２、及び、第２発行部３３などを備える。発券機２０は、データバスなどを介してＣＰＵ２１と、ＲＯＭ２２、ＲＡＭ２３、ＮＶＭ２４、通信部２５、表示部２６、操作部２７、磁気券処理部２８、カードリーダライタ２９、金額処理部３０、読取部３１、第１発行部３２、及び、第２発行部とを通信可能に接続する。
【００２６】
ＣＰＵ２１は、発券機２０全体の動作（発券処理含む）を制御する機能を有する。ＣＰＵ２１は、内部キャッシュおよび各種のインターフェースなどを備えても良い。ＣＰＵ２１は、内部メモリ、ＲＯＭ２２あるいはＮＶＭ２４に予め記憶したプログラムを実行することにより種々の処理を実現する。
【００２７】
なお、ＣＰＵ２１がプログラムを実行することにより実現する各種の機能のうちの一部は、ハードウエア回路により実現されるものであっても良い。この場合、ＣＰＵ２１は、ハードウエア回路により実行される機能を制御する。
【００２８】
ＲＯＭ２２は、予め制御用のプログラム及び制御データなどが記憶された不揮発性のメモリである。ＲＯＭ２２に記憶される制御プログラム及び制御データは、予め発券機２０の仕様に応じて組み込まれる。ＲＯＭ２２は、たとえば、発券機２０の回路基板を制御するプログラム（例えば、ＢＩＯＳ）などを格納している。
【００２９】
ＲＡＭ２３は、揮発性のメモリである。ＲＡＭ２３は、ＣＰＵ２１の処理中のデータなどを一時的に格納する。ＲＡＭ２３は、ＣＰＵ２１からの命令に基づき種々のアプリケーションプログラムを格納している。また、ＲＡＭ２３は、アプリケーションプログラムの実行に必要なデータ及びアプリケーションプログラムの実行結果などを格納してもよい。
【００３０】
ＮＶＭ２４は、データの書き込み及び書き換えが可能な不揮発性のメモリである。ＮＶＭ２４は、例えばＥＥＰＲＯＭ（Electric Erasable Programmable Read-Only Memory）、ＨＤＤ（Hard Disc Drive）、あるいはＳＳＤ（Solid State Drive）などである。ＮＶＭ２４は、発券機２０の運用用途に応じて制御プログラム、アプリケーション、及び種々のデータを格納する。また、ＮＶＭ２４は、ＣＰＵ２１が種々の処理を実行することで生成したデータを保存する。
【００３１】
通信部２５は、上位装置としてのホストコンピュータなどとの通信を行うインターフェースである。
【００３２】
表示部２６は、ＣＰＵ２１からの信号に基づいて種々の情報を表示するものである。たとえば、表示部２６は、乗車券を購入する区間を選択するアイコンなどを表示してもよい。表示部２６は、たとえば、液晶ディスプレイなどである。
【００３３】
操作部２７は、発券機２０の操作者によって、種々の指示が入力される。操作部２７は、操作者に入力された指示のデータをＣＰＵ２１へ送信する。操作部２７は、たとえば、キーボード、テンキー、及び、タッチパネルなどである。
【００３４】
なお、表示部２６と操作部２７とは、一体的に形成されてもよい。即ち、表示部２６は、指示を入力するためのアイコンを表示し、操作部２７は、アイコンがタッチされることで指示の入力を受け付けてもよい。
【００３５】
磁気券処理部２８は、磁気定期券に記録されている磁気情報を読み取り、又は、磁気定期券に磁気情報を書き込む。
【００３６】
カードリーダライタ２９は、ＩＣカードに記録されている情報を読み取り、又は、ＩＣカードに情報を書き込む。
【００３７】
金額処理部３０は、駅の係員が投入した現金あるいは金額カード（プリペイドカードやクレジットカード）を処理するものである。たとえば、金額処理部３０は、駅の係員が投入した現金を集計し、駅の係員が投入した現金の金額を決定する。また、金額処理部３０は、釣銭を放出する機能を有する。たとえば、金額処理部３０は、ＣＰＵ２１からの命令に基づいて、釣銭を放出する。
【００３８】
読取部３１は、案内シート４０ａからルート情報を取得する。たとえば、読取部３１は、ルート情報を示す二次元コードなどを案内シート４０ａから読み取る。この場合、読取部３１は、二次元コードを読み取るコードリーダなどを備える。また、読取部３１は、ＯＣＲ処理を用いて案内シート４０ａから文字を読み取り、ルート情報を取得してもよい。
【００３９】
読取部３１は、さらに、案内シート４０ａが挿入される挿入口、及び、案内シート４０ａをコードリーダなどに搬送する搬送部などを備えてもよい。
【００４０】
第１発行部３２は、ＣＰＵ２１の制御に基づいて、発券処理等を実行し、例えば乗車券情報が印刷された券媒体を発行する。乗車券情報は、利用可能な乗車区間などを示す。たとえば、乗車券情報は、発着駅、有効期間、及び、有効区間などを備える。有効区間は、たとえば、終着駅又は乗車料金などである。乗車券情報は、鉄道会社などを備えてもよい。乗車券情報は、特定の構成に限定されるものではない。
【００４１】
第２発行部３３は、ＣＰＵ２１の制御に基づいて、出発駅から到着駅までのルートを示すルート情報と発券された乗車券を示す発券済情報とが印刷される案内シート４０ｂを発行する。たとえば、第２発行部３３は、案内シート４０ｂを構成するロール紙を供給する供給部、ロール紙を搬送する搬送部、ロール紙を所定の長さにカットするカット部、カットされたロール紙に印字する印字部、及び、印字されたロール紙（案内シート４０ｂ）を外部へ排出する排出部などを備える。印字部は、インク又はトナーなどの印刷素材を塗布することでロール紙に印字してもよい。また、ロール紙が感熱シートである場合、印字部は、ロール紙を加熱して印字してもよい。なお、印字部は、消色トナーなど、消色可能な印刷素材を用いてロール紙に印字してもよい。
【００４２】
また、第２発行部３３は、案内シート４０ａに発券済情報を追加して、案内シート４０ｂを形成してもよい。たとえば、第２発行部３３と読取部３１とは搬送部などで接続される。読取部３１に挿入された案内シート４０ａは、搬送部などによって第２発行部３３に搬送される。第２発行部３３は、案内シート４０ａに発券済情報を追加的に印刷する。第２発行部３３は、発券済情報を印刷された案内シート４０ａを案内シート４０ｂとして発行する。
【００４３】
また、第２発行部３３は、案内シート４０ａを消色してもよい。たとえば、第２発行部３３は、消色された案内シート４０ａに発券済情報とルート情報とを印刷して、案内シート４０ｂとして発行してもよい。
【００４４】
なお、第１発行部３２と第２発行部３３とは、同一のユニットであってもよい。  
また、発券機２０は、上述した構成以外の構成要素を適宜追加しても良いし、特定の構成を除外してもよい。
【００４５】
次に、案内装置１０のＣＰＵ１１が実現する機能について説明する。  
ＣＰＵ１１は、利用者が出発する出発駅及び利用者の行き先である到着駅の入力を受け付ける機能を有する。
【００４６】
ＣＰＵ１１は、操作部１７を通じて出発駅及び到着駅の入力を受け付ける。たとえば、ＣＰＵ１１は、表示部１６に出発駅及び到着駅を選択するアイコンを表示する。ＣＰＵ１１は、操作部１７を通じてタッチされたアイコンに基づいて出発駅及び到着駅の入力を受け付ける。なお、ＣＰＵ１１は、発券システム１が設置されている駅を出発駅として取得してもよい。
【００４７】
また、ＣＰＵ１１は、入力された出発駅と到着駅との間のルートを検索する機能を有する。  
たとえば、ＮＶＭ１４が駅及び路線に関する情報を格納し、ＣＰＵ１１は、当該情報に基づいてルートを検索してもよい。また、ＣＰＵ１１は、外部装置に出発駅及び到着駅を送信し、外部装置からルートを受信してもよい。
【００４８】
ルートは、出発駅から到着駅まで行き方を示す。たとえば、ルートは、乗車する路線、乗換駅、及び／又は、鉄道会社などを示す。乗換を含む場合、ルートは、複数の乗車区間（たとえば、出発駅から乗換駅までの乗車区間、及び、乗換駅から到着駅までの乗車区間）から構成される。
【００４９】
また、ＣＰＵ１１は、複数のルートを検索した場合、複数のルートから１つのルートを選択する操作を受け付ける機能を有する。  
ＣＰＵ１１は、操作部１７を通じてルートの選択を受け付ける。たとえば、ＣＰＵ１１は、表示部１６に複数のルートを示すアイコンを表示する。ＣＰＵ１１は、操作部１７を通じてタッチされたアイコンに基づいてルートの選択を受け付ける。
【００５０】
また、ＣＰＵ１１は、検索されたルート又は選択されたルートを示すルート情報を印刷した案内シート４０ａを発行する機能を有する。  
ＣＰＵ１１は、発行部１８を用いて、ルート情報を示す文字、及び、ルート情報を示す二次元コードを備える案内シート４０ａを発行する。たとえば、ＣＰＵ１１は、ルート情報を示す二次元コードを生成する。ＣＰＵ１１は、案内シート４０ａにルート情報を示す文字、及び、二次元コードを印刷して、発行する。なお、ＣＰＵ２１は、二次元コードの代わりに、ルート情報を示すコード（一次元コードなど）、マーク、記号などを印刷してもよい。
【００５１】
図４は、案内シート４０ａの構成例を示す。  
図４に示すように、案内シート４０ａは、印刷領域４１及び印刷領域４２などを備える。  
印刷領域４１は、ルート情報を示す文字が印刷される。印刷領域４１は、目視可能な文字列が印刷される。
【００５２】
図４が示す例では、ルート情報は、ＡＡ駅（出発駅）からＤＤ駅（到着駅）までのルートを示す。また、ルート情報は、○○線ＡＡ駅からＢＢ駅までの乗車区間、□□線ＢＢ駅からＣＣ駅までの乗車区間、及び、××線ＣＣ駅からＤＤ駅までの乗車区間を示す。
【００５３】
なお、印刷領域４１は、各線の鉄道会社が印刷されてもよい。また、印刷領域４１は、ルート情報の一部を印字されてもよい。
【００５４】
印刷領域４２は、ルート情報を示す二次元コードが印刷される。印刷領域４２に印刷される二次元コードは、印刷領域４１に印刷されるルート情報を示す。  
なお、印刷領域４２は、ルート情報を示すコード（一次元コードなど）、マーク、又は記号などが印刷されてもよい。  
また、案内シート４０ａは、乗車料金など、他の情報を印刷されてもよい。
【００５５】
次に、発券機２０のＣＰＵ２１が実現する機能について説明する。  
ＣＰＵ２１は、案内シート４０ａ又は案内シート４０ｂ（第１案内シート）からルート情報を取得する機能を有する（取得部）。  
ＣＰＵ２１は、読取部３１を通じて案内シート４０ａ又は案内シート４０ｂからルート情報を示す二次元コードを取得する。
【００５６】
たとえば、ＣＰＵ２１は、読取部３１に案内シート４０ａ又は案内シート４０ｂが挿入されたことを検知する。ＣＰＵ２１は、案内シート４０ａ又は案内シート４０ｂが挿入されたことを検知すると、案内シート４０ａ又は案内シート４０ｂを読取部３１のコードリーダまで搬送し、コードリーダを用いてルート情報を示す二次元コードを読み取る。ＣＰＵ２１は、読み取られた二次元コードをデコードしルート情報を取得する。  
なお、ＣＰＵ２１は、案内シート４０ａ又は案内シート４０ｂに印刷された文字情報をＯＣＲ処理で読み取り、ルート情報を取得してもよい。
【００５７】
また、ＣＰＵ２１は、案内シート４０ｂから発行済情報を取得する機能を有する（取得部）。  
ＣＰＵ２１は、読取部３１を通じて案内シート４０ｂから発行済情報を示す二次元コードを取得する。たとえば、ＣＰＵ２１は、読取部３１のコードリーダを用いてルート情報を示す二次元コードを読み取る。ＣＰＵ２１は、読み取られた二次元コードをデコードし発行済情報を取得する。  
なお、ＣＰＵ２１は、案内シート４０ｂに印刷された文字情報をＯＣＲ処理で読み取り、ルート情報を取得してもよい。
【００５８】
また、ＣＰＵ２１は、取得されたルート情報及び発行済情報に基づいて、販売可能な乗車区間を特定する機能を有する（特定部）。即ち、ＣＰＵ２１は、ルート情報が示すルートから販売可能な区間と特定する。
【００５９】
たとえば、ＣＰＵ２１は、ルート情報が示す乗車区間から、発行済情報が示す乗車区間を除外する。即ち、ＣＰＵ２１は、乗車券を発行していない乗車区間（未発行乗車区間）を特定する。また、発行済情報がない場合は、ＣＰＵ２１は、ルート情報が示す乗車区間を未発行乗車区間と特定する。
【００６０】
ＣＰＵ２１は、未発行乗車区間の中から、販売可能な区間（販売可能区間）を特定する。たとえば、ＣＰＵ２１は、発券システム１を提供している鉄道会社を取得する。ＣＰＵ２１は、未発行乗車区間の中から、取得された鉄道会社が提供している乗車区間を、販売可能区間として特定する。
【００６１】
なお、発券システム１が他の鉄道会社の乗車券を販売している場合、ＣＰＵ２１は、未発行乗車区間の中から、当該他の鉄道会社が提供している乗車区間を、販売可能区間として特定してもよい。
【００６２】
また、ＣＰＵ２１は、複数の販売可能区間を特定した場合、複数の販売可能区間から発行する販売可能区間を選択する操作を受け付ける機能を有する（選択処理部）。  
ＣＰＵ２１は、操作部２７を通じて販売可能区間の選択を受け付ける。たとえば、ＣＰＵ２１は、表示部２６に複数の販売可能区間を示すアイコンを表示する。ＣＰＵ１１は、操作部２７を通じてタッチされたアイコンに基づいて販売可能区間の選択を受け付ける。
なお、ＣＰＵ２１は、販売可能区間以外の乗車区間をグレーアウトして表示してもよい。
【００６３】
また、ＣＰＵ２１は、特定された販売可能区間又は選択された販売可能区間に対応する乗車券を発行する機能を有する。  
たとえば、ＣＰＵ２１は、特定された販売可能区間又は選択された販売可能区間の乗車券の代金を決済する。たとえば、ＣＰＵ２１は、カードリーダライタ２９を通じて、利用客が所持するＩＣカードの残高から乗車券の代金を引き落としてもよい。また、ＣＰＵ２１は、金額処理部３０を通じて、利用客から乗車券の代金を現金で収受してもよい。
【００６４】
乗車券の代金を決済すると、ＣＰＵ２１は、乗車券を発行する。たとえば、ＣＰＵ２１は、第１発行部３２を用いて、乗車券情報を示す券媒体を発行する。
【００６５】
また、ＣＰＵ２１は、ルート情報及び発行済情報を示す案内シート４０ｂを発行する機能を有する。  
ＣＰＵ２１は、第２発行部３３を用いて、案内シート４０ｂを発行する。
【００６６】
発行済情報は、乗車券を発行した乗車区間を示す。即ち、発行済情報は、ＣＰＵ２１が発行した乗車券に対応する乗車区間を示す。すでに発行済情報がある場合、ＣＰＵ２１は、発行済情報に乗車券を発行した乗車区間を追加する。
【００６７】
たとえば、ＣＰＵ２１は、ルート情報及び発行済情報を示す二次元コードを生成する。ＣＰＵ２１は、生成された二次元コードを印刷した案内シート４０ｂを発行する。
【００６８】
図５Ａは、案内シート４０ｂの構成例を示す図である。  
図５Ａが示すように、案内シート４０ｂは、印刷領域４３及び印刷領域４４などを備える。ここでは、ＣＰＵ２１は、○○線ＡＡ駅からＢＢ駅までの乗車区間の乗車券を発行したものとする。
【００６９】
印刷領域４３は、ルート情報と発行済情報とが目視可能なように印刷される。ルート情報は、印刷領域４１と同様に印刷される。発行済情報は、取り消し線によって示される。即ち、発行済情報が示す乗車区間に、取り消し線が引かれる。図５Ａが示す例では、印刷領域４３において、「○○線ＡＡ駅〜ＢＢ駅」の記載に、取り消し線が引かれている。
【００７０】
なお、発行済情報は、乗車区間の横にチェックマークなどを印刷することで示されてもよいし、乗車区間の印字の色を変更することで示されてもよい。発行済情報を示す方法は、特定の方法に限定されるものではない。
【００７１】
印刷領域４４は、ルート情報と発行済情報とを示す二次元コードが印刷される。ＣＰＵ２１は、印刷領域４４に印刷される二次元コードをデコードすることでルート情報と発行済情報とを得る。  
また、案内シート４０ｂは、その他の情報が印刷されてもよい。
【００７２】
図５Ｂは、案内シート４０ｂの他の構成例を示す図である。  
図５Ｂが示すように、案内シート４０ｂは、印刷領域４２、印刷領域４３及び印刷領域４５などを備える。印刷領域４２及び印刷領域４３については、前述の通りである。
【００７３】
印刷領域４５は、発行済情報を示す二次元コードがルート情報を示す二次元コードとは別に印刷される。なお、案内シート４０ｂには、発行済みの乗車区間ごとに二次元コードが印刷されてもよい。
【００７４】
図５Ｂに示す案内シート４０ｂを発行する場合、ＣＰＵ２１は、読取部３１に挿入された案内シート４０ａに発行済情報を示す二次元コードを追加的に印刷して、案内シート４０ｂとして発行してもよい。
【００７５】
次に、発券システム１の動作例について説明する。  
まず、案内装置１０の動作例について説明する。  
図６は、案内装置１０の動作例を説明するためのフローチャートである。
【００７６】
案内装置１０のＣＰＵ１１は、操作部１７を通じて出発駅の入力を受け付ける（Ｓ１１）。出発駅の入力を受け付けると、ＣＰＵ１１は、操作部１７を通じて到着駅を受け付ける（Ｓ１２）。
【００７７】
到着駅を受け付けると、ＣＰＵ１１は、Ｓ１１で受け付けた出発駅とＳ１２で受け付けた到着駅との間のルートを検索する（Ｓ１３）。ルートを検索すると、ＣＰＵ１１は、検索されたルートが複数個あるか判定する（Ｓ１４）。
【００７８】
ルートが複数個あると判定すると（Ｓ１４、ＹＥＳ）、ＣＰＵ１１は、操作部１７を通じて、複数個のルートから１つのルートの選択を受け付ける（Ｓ１５）。
【００７９】
ルートが１つであると判定した場合（Ｓ１４、ＮＯ）、又は、ルートの選択を受け付けた場合、ＣＰＵ１１は、検索された１つのルート又は選択されたルートを示すルート情報から二次元コードを生成する（Ｓ１６）。
【００８０】
二次元コードを生成すると、ＣＰＵ１１は、発行部１８を用いて、生成された二次元コードを印刷した案内シート４０ａを発行する（Ｓ１７）。案内シート４０ａを発行すると、ＣＰＵ１１は、動作を終了する。
【００８１】
なお、ＣＰＵ１１は、到着駅を受け付けてから出発駅を受け付けてもよい。また、ＣＰＵ１１は、出発駅及び到着駅の組み合わせを複数個提示し、複数個の組み合わせの１つの組み合わせの選択を受け付けてもよい。  
また、ＣＰＵ１１は、利用客から印刷を開始する操作を受け付けてから案内シート４０ａを発行してもよい。
【００８２】
次に、発券機２０の動作例について説明する。  
図７は、発券機２０の動作例について説明するためのフローチャートである。  
発券機２０のＣＰＵ２１は、読取部３１の挿入口などから案内シート４０（案内シート４０ａ又は案内シート４０ｂ）を取得する（Ｓ２１）。
【００８３】
案内シート４０を取得すると、ＣＰＵ２１は、読取部３１のコードリーダなどを通じて、取得された案内シート４０からルート情報を読み取る（Ｓ２２）。
【００８４】
ルート情報を読み取ると、ＣＰＵ２１は、案内シート４０から発行済情報を読み取る（Ｓ２３）。なお、ルート情報と発行済情報とが１つの二次元コードに格納されている場合、ＣＰＵ２１は、Ｓ２２及びＳ２３として当該二次元コードを読み取る。
【００８５】
案内シート４０に発行済情報があると判定すると（Ｓ２４、ＹＥＳ）、ＣＰＵ２１は、ルート情報及び発行済情報に基づいて未発行乗車区間を特定する（Ｓ２５）。
【００８６】
案内シート４０に発行済情報がないと判定した場合（Ｓ２４、ＮＯ）（即ち、ルート情報が示す乗車区間を未発行乗車区間と特定した場合）、又は、未発行乗車区間を特定した場合（Ｓ２５）、ＣＰＵ２１は、未発行乗車区間から販売可能区間を特定する（Ｓ２６）。
【００８７】
販売可能区間を特定すると、ＣＰＵ２１は、発行可能区間が複数個あるか判定する（Ｓ２７）。  
発行可能区間が複数個あると判定すると（Ｓ２７、ＹＥＳ）、ＣＰＵ２１は、操作部２７を通じて、乗車券を発行する乗車区間の選択を受け付ける（Ｓ２８）。
【００８８】
発行可能区間が１つであると判定した場合（Ｓ２７、ＮＯ）、又は、乗車区間の選択を受け付けた場合（Ｓ２８）、ＣＰＵ２１は、乗車券を購入する操作を受け付けたか判定する（Ｓ２９）。たとえば、ＣＰＵ２１は、表示部に購入アイコンを表示し、購入アイコンがタッチされたか判定する。
【００８９】
乗車券を購入する操作を受け付けたと判定すると（Ｓ２９、ＹＥＳ）、ＣＰＵ２１は、乗車券の代金を決済する（Ｓ３０）。乗車券の代金を決済すると、ＣＰＵ２１は、第１発行部３２を用いて、乗車券情報を印刷した券媒体を発行する（Ｓ３１）。
【００９０】
乗車券情報を印刷した券媒体を発行すると、ＣＰＵ２１は、ルート情報及び発行済情報を示す二次元コードを生成する（Ｓ３２）。ルート情報及び発行済情報を示す二次元コードを生成すると、ＣＰＵ２１は、第２発行部３３を用いて、生成された二次元コードを印刷した案内シート４０ｂを発行する（Ｓ３３）。
【００９１】
乗車券を購入する操作を受け付けなかったと判定した場合（たとえば、購入処理をキャンセルする操作を受け付けた場合）（Ｓ２９、ＮＯ）、又は、案内シート４０ｂを発行した場合（Ｓ３３）、ＣＰＵ２１は、動作を終了する。
【００９２】
なお、案内装置１０は、利用客が所持する携帯端末などに案内シート４０ａのデータなどを送信してもよい。また、発券機２０は、利用客が所持する携帯端末などに案内シート４０ｂのデータなどを送信してもよい。また、発券機２０は、利用客が所持する携帯端末からルート情報及び発行済情報を取得してもよい。
【００９３】
また、ルート情報は、インターネットなどを通じて所定のサーバから利用客へ配信されてもよい。この場合、ルート情報は、案内シート４０ａとしての紙に印刷されてもよいし、利用客が所持する携帯端末などに格納されてもよい。
【００９４】
以上のように構成された発券システムは、案内装置が発行したルート情報に基づいて、発券機で発行可能な乗車券を発行することができる。また、発券システムは、発行済みの乗車区間を除いて、利用客に乗車券を発行することができる。そのため、発券システムは、利用客から乗車区間の入力を受け付けなくとも適切な乗車券を発行することができる。したがって、発券システムは、効率的に乗車券を発行することができる。
【００９５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に本件出願当初の特許請求の範囲に記載された発明を付記する。
［Ｃ１］
ルートを示すルート情報を取得する取得部と、
前記取得部が取得した前記ルート情報が示す前記ルートから販売可能な区間を特定する特定部と、
前記特定部が特定した前記販売可能な区間に対応する乗車券を発行する第１発行部と、
前記第１発行部が発行した乗車券の区間を示す発行済情報を発行する第２発行部と、
を備える発券機。
［Ｃ２］
前記取得部は、さらに、乗車券を発行した区間を示す発行済情報を取得し、
前記特定部は、前記取得部が取得した前記発行済情報が示す区間を除外して前記販売可能な区間を特定する、
前記Ｃ１に記載の発券機。
［Ｃ３］
前記特定部が複数個の前記販売可能な区間を特定した場合、前記複数個の販売可能な区間から、発行する区間の選択を受け付ける選択処理部を備え、
前記第１発行部は、前記選択処理部が受け付けた前記区間に対応する乗車券を発行する、
前記Ｃ１又は２に記載の発券機。
［Ｃ４］
前記取得部は、前記ルート情報を印刷した第１案内シートから前記ルート情報を取得する、
前記Ｃ１乃至３の何れか１項に記載の発券機。
［Ｃ５］
前記第１案内シートは、前記ルート情報を示す二次元コードを備え、
前記取得部は、前記二次元コードを読み取って、前記ルート情報を取得する、
前記Ｃ４に記載の発券機。
［Ｃ６］
前記第２発行部は、前記発行済情報を印刷した第２案内シートを発行する、
前記Ｃ１乃至５の何れか１項に記載の発券機。
［Ｃ７］
前記第２発行部は、少なくとも前記発行済情報を示す二次元コードを発行する、
前記Ｃ１乃至６の何れか１項に記載の発券機。
［Ｃ８］
前記第２発行部は、さらに、前記ルート情報を発行する、
前記Ｃ１乃至７の何れか１項に記載の発券機。
［Ｃ９］
前記第１発行部は、列車の乗車券を発行する、
前記Ｃ１乃至８の何れか１項に記載の発券機。
［Ｃ１０］
案内装置と発券機とを有する発券システムであって、
前記案内装置は、
ルートを示すルート情報を発行する第３発行部を備え、
前記発券機は、
前記第３発行部が発行した前記ルート情報を取得する取得部と、
前記取得部が取得した前記ルート情報が示す前記ルートから販売可能な区間を特定する特定部と、
前記特定部が特定した前記販売可能な区間に対応する乗車券を発行する第１発行部と、
前記第１発行部が発行した乗車券の区間を示す発行済情報を発行する第２発行部と、
を備える。
【符号の説明】
【００９６】
１…発券システム、１０…案内装置、１１…ＣＰＵ、１６…表示部、１７…操作部、１８…発行部、２０…発券機、２１…ＣＰＵ、２６…表示部、２７…操作部、３１…読取部、３１…第１発行部、３２…第２発行部、４０、４０ａ及び４０ｂ…案内シート、４１乃至４５…印刷領域。
【図１】
0006490457.tif 000002
【図２】
0006490457.tif 000003
【図３】
0006490457.tif 000004
【図４】
0006490457.tif 000005
【図５Ａ】
0006490457.tif 000006
【図５Ｂ】
0006490457.tif 000007
【図６】
0006490457.tif 000008
【図７】
0006490457.tif 000009